【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
心臓の僧帽弁輪の病状に影響を与える器具であって、
僧帽弁輪に隣接する心臓の冠状静脈内の内腔内に配置される寸法を有する細長い本体と、
前記器具によって運搬され、冠状静脈内に前記器具を配置することを可能にする第１の形状から前記器具を冠状静脈内に繋止する第２の形状へ調整することができる固定部材と、
該固定部材を第２の形状に錠止するロックとを含む、心臓の僧帽弁輪の病状に影響を与える器具。
【請求項２】
前記ロックは、前記器具を前記体腔内で移動できるように、前記固定部材を第２の形状から解除するために解除可能である、請求項１に記載の器具。
【請求項３】
前記固定部材は、前記器具が前記体腔内で移動できるように変形可能である、請求項１に記載の器具。
【請求項４】
前記固定部材は第１の形状から最大の第２の形状へ調整可能で、前記ロックは、第１の形状と最大の第２の形状との中間で前記固定部材を錠止する、請求項１に記載の器具。
【請求項５】
別記固定部材は、細長く、前記器具の本体に枢動可能に連結した第１の端を有し、第１の形状のとき、前記器具の本体と狭い間隔を置いて該器具の本体に沿って伸び、第２の形状のとき、前記内腔に係合して前記器具を前記内腔内に繋止するために、前記固定部材が前記器具の本体から枢動ずる、請求項１に記載の器具。
【請求項６】
前記固定部材を第２の形状のとき実質的に剛直にする支持体を含む、請求項５に記載の器具。
【請求項７】
前記支持体は前記固定部材の延長で、前記固定部材は第１の端の反対側に第２の端を含み、前記ロックは前記固定部材の第２の端を前記器具の本体に錠止する、請求項６に記載の器具。
【請求項８】
前記固定部材の第２の端は前記器具の本体に沿って滑動可能である、請求項７に記載の器具。
【請求項９】
複数の固定部材を含む、請求項７に記載の器具。
【請求項１０】
前記固定部材は第１の端の反対側に第２の端を含み、前記支持体は、前記固定部材の第２の端に枢動可能に連結する第１の端を有する支持部材を含み、前記支持部材は前記支持部材の第１の端の反対側に第２の端を有し、前記ロックは前記支持部材の第２の端を前記器具の本体に錠止する、請求項６に記載の器具。
【請求項１１】
複数の固定部材および支持部材を含む、請求項１０に記載の器具。
【請求項１２】
前記支持部材の第２の端が前記器具の本体に沿って摺動可能である、請求項１０に記載の器具。
【請求項１３】
前記ロックが前記第１の形状と前記最大の第２の形状との間の複数の中間点のうちのいずれか一つの点において前記固定部材を錠止する、請求項１に記載の器具。
【請求項１４】
体腔内に配置される寸法を有する細長い本体を有する器具を該体腔内で繋止するアンカーであって、
前記器具に運搬され、前記体腔内に前記器具を配置することを可能にする第１の形状から前記器具を前記体腔内に繋止する第２の形状へ調整可能な固定部材と、
該固定部材を第２の形状に錠止するロックとを含む、体腔内に配置される寸法を有する細長い本体を有する器具を該体腔内で繋止するアンカー。
【請求項１５】
前記ロックは、前記器具を前記体腔内で移動できるように、前記固定部材を第２の形状から解除するために解除可能である、請求項１４に記載のアンカー。
【請求項１６】
前記固定部材は、前記器具が前記体腔内で移動できるように変形可能である、請求項１４に記載のアンカー。
【請求項１７】
前記固定部材は第１の形状から最大の第２の形状へ調整可能で、前記ロックは、第１の形状と最大の第２の形状との中間で前記固定部材を錠止する、請求項１４に記載のアンカ
【請求項１８】
別記固定部材は、細長く、前記器具の本体に枢動可能に連結した第１の端を有し、第１の形状のとき、前記器具の本体と狭い間隔を置いて該器具の本体に沿って伸び、第２の形状のとき、前記体腔に係合して前記器具を前記体腔内に繋止するために、前記固定部材が前記器具の本体から枢動ずる、請求項１４に記載のアンカー。
【請求項１９】
前記ロックが前記第１の形状と前記最大の第２の形状との間の複数の中間点のうちのいずれか一つの点において前記固定部材を錠止する、請求項１に記載のアンカー。
【請求項２０】
体腔に隣接する組織の形状を改変するための器具であって、
前記器具が体腔内に配設されるとき、体腔の壁にしっかりと接触するように適合し、拡張しない送達時の形状と、拡張した配設時の形状とを有するアンカーと、
該アンカーを拡張した配設時の形状で錠止するロックと、
前記アンカーから伸び、前記器具が前記体腔内に配設されるとき、前記体腔の壁に接触するように適合した再形成用具とを含み、
前記アンカーは、前記体腔の中心軸と平行でない曲線状に前記再形成用具から伸びる可擁性のある部材を含む、体腔に隣接する組織の形状を改変するための器具。
【請求項２１】
前記可擁性のある部材は、弓なりになった８の字型のパターンで形成される、請求項２０に記載の器具。
【請求項２２】
前記ロックは、前記可擁性のある部材に連結した錠止要素を含む、請求項２０に記載の器具。
【請求項２３】
前記錠止要素は、第１の錠止要素を含み、前記ロックは別記再形成用具に連結する第２の錠止要素を含む、請求項２０に記載の器具。
【請求項２４】
第２の錠止要素は、前記再形成用具から伸びるカム運動する表面を含む、請求項２３に記載の器具。
【請求項２５】
前記再形成用具は支持ワイヤーを含み、第２の錠止要素は前記支持ワイヤー内に湾曲部を含む、請求項２０に記載の器具。
【請求項２６】
心臓の僧帽弁輪の病状に影響を与える組立体であって、
心臓の僧帽弁輪に隣接する心臓の冠状静脈内に配置されるとき、僧帽弁輪を再形成し、連結構造を含む近位端を有する僧帽弁治療器具と、
該僧帽弁治療器具を心臓の冠状静脈内に導く、内腔を有するカテーテルと、
前記器具の連結構造に錠止可能な第２の連結構造と、
前記器具の連結構造を第２の連結構造に錠止し、前記器具の連結構造を第２の連結構造から解除する錠止部材とを含む、心臓の僧帽弁輪の病状に影響を与える組立体。
【請求項２７】
前記カテーテルの内腔を通って前記器具を押すプッシャ部材を含み、該プッシャ部材は前記器具の近位端に係合する遠位端を有する、請求項２６に記載の組立体。
【請求項２８】
前記プッシャ部材はその遠位端に第２の連結構造を運搬する、請求項２６に記載の組立体。
【請求項２９】
体腔に隣接する組織の形状を改変する器具であって、
前記体腔に係合するためにカテーテルによって配設される寸法を有するアンカーと、
該アンカーから伸びて、前記体腔に係合するように適合した支持体と、
前記器具の少なくとも一部を前記カテーテル内に再捕捉することを補助するように適合した再捕捉機構とを含む、体腔に隣接する組織の形状を改変する器具。
【請求項３０】
前記アンカーは近位の部分を含み、前記再捕捉機構は、前記カテーテルを前記器具を越えて案内するように適合した前記アンカーの近位の部分の表面を含む、請求項２９に記載の器具。
【請求項３１】
前記アンカーは前記カテーテルから配設された後に拡張するように適合した、請求項２９に記載の器具。
【請求項３２】
前記再捕捉機構は前記アンカーの圧縮を補助するように適合した、請求項２９に記載の器具。
【請求項３３】
前記再捕捉機構は前記アンカー上の第１および第２の表面を含み、前記アンカーの長手方向の軸に対する第１の表面の勾配は、前記アンカーの長手方向の軸に対する第２の表面の勾配より小さい、請求項２９に記載の器具。